(57)【要約】【課題】  洗浄水を有効に略閉ループで使用し、節水を図りながら付着している水滴を充分に除去可能とする【解決手段】  廃棄合成樹脂製破砕片を破砕、洗浄しつつ移送し、下流に位置する比重別分離装置５０、７０に投入し、比重差により廃棄合成樹脂製破砕片の選別を行い、液面に浮遊乃至半没する比重の軽い廃棄合成樹脂製破砕片を遠心脱水装置９０に投入し、廃棄合成樹脂製破砕片に付着している水分を廃棄合成樹脂製破砕片から遠心力で分離し、乾燥機１１０において廃棄合成樹脂製破砕片に残留している水滴を蒸発、乾燥させ、水滴の付着乃至水分が低減した廃棄合成樹脂製破砕片をサイクロン１２０を通して袋に充填する。【選択図】  図２
2005335070.tif 000002
【特許請求の範囲】
【請求項１】
破砕装置で破砕され乃至破砕、洗浄された廃棄合成樹脂製破砕片を傾斜したスクリュウ式洗浄装置に投入するとともに洗浄水をシャワー状に散水し、廃棄合成樹脂製破砕片を更に洗浄し、付着している汚れなどを落としスクリュウ式洗浄装置外に搬出し、洗浄済みの廃棄合成樹脂製破砕片を移送し、下流の脱水装置に投入し、この脱水装置にて廃棄合成樹脂製破砕片に付着している水分を廃棄合成樹脂製破砕片から分離し、水分を除去した廃棄合成樹脂製破砕片を空送装置を介してサイクロン型気固分離装置(以下単にサイクロンと云う)に供給し、このサイクロンにおいて更に廃棄合成樹脂製破砕片に残留している水滴およびこれから発生するミストを旋回する空気流に乗せてサイクロンの排気口から排気し、水滴乃至水分の付着が低減した廃棄合成樹脂製破砕片を袋に充填することを特徴とする廃棄物処理方法。
【請求項２】
前記廃棄合成樹脂製破砕片は合成樹脂製ボトル、合成樹脂製フィルム、農業用フィルム、合成樹脂製ケース、通い箱などの粉砕片、破砕片から選択された少なくとも1種とすることを特徴とする請求項1記載の廃棄物処理方法。
【請求項３】
前記傾斜したスクリュウ式洗浄装置において、その搬入側下端位置にて前記破砕装置で破砕され洗浄された廃棄合成樹脂製破砕片を受け取り、その搬出側上端部で洗浄済みの廃棄合成樹脂製破砕片を外部へ搬出するとともに、この搬入側下端位置から搬送不能な微粉砕物を汚水と共に、分離機に供給し、この分離機で微粉砕物と汚水とを分離し外部に排出することを特徴とする請求項１又は２記載の廃棄物処理方法。
【請求項４】
破砕装置で破砕され乃至破砕、洗浄された廃棄合成樹脂製破砕片を傾斜した第1段のスクリュウ式洗浄装置に投入するとともに洗浄水をシャワー状に散水し、廃棄合成樹脂製破砕片を更に洗浄し、付着している汚れなどを落としスクリュウ式洗浄装置外に搬出し、洗浄済みの廃棄合成樹脂製破砕片を移送し、下流に位置する第1段の比重別分離装置に投入し、比重差により廃棄合成樹脂製破砕片の選別を行うとともに、残留している汚れなどを沈澱させ、液面に浮遊乃至半没する比重の軽い廃棄合成樹脂製破砕片を第２段のスクリュウ式洗浄装置に投入し第1段のスクリュウ式洗浄装置と同様に液面に浮遊乃至半没する比重の軽い廃棄合成樹脂製破砕片の洗浄を再度行うとともに、汚れなどの付着物を除去し、更に下流に位置する第２段の比重別分離装置に投入し第１段の比重別分離装置同様に比重差により廃棄合成樹脂製破砕片の選別を行うとともに、残留している汚れなどを沈澱させ、このように選別された液面に浮遊乃至半没する比重の軽い廃棄合成樹脂製破砕片を水切りスクリュウコンベア装置を介して下流の脱水装置に投入し、この脱水装置にて廃棄合成樹脂製破砕片に付着している水分を廃棄合成樹脂製破砕片から分離し、水分を除去した廃棄合成樹脂製破砕片を空送装置を介して乾燥機に供給し、この乾燥機において熱風攪拌により更に廃棄合成樹脂製破砕片に残留している水滴を蒸発、乾燥させ、水滴乃至水分の付着が低減した廃棄合成樹脂製破砕片をサイクロンを通して袋に充填することを特徴とする廃棄物処理方法。
【請求項５】
前記各比重別分離装置にて液面で浮遊する廃棄合成樹脂製破砕片を回転するプロペラにより液中に沈めながら攪拌し、比重の重い廃棄合成樹脂製破砕片および付着している汚れを各比重別分離装置の底部に沈澱させ、適宜外部へ搬出するとともに、液面に浮遊する比重の軽い廃棄合成樹脂製破砕片を下流の装置に移送することを特徴とする請求項４記載の廃棄物処理方法。
【請求項６】
前記各比重別分離装置の液面と面一乃至液面より下方に配置したスクリュウ移送部により比重の軽い廃棄合成樹脂製破砕片を下流の装置に移送することを特徴とする請求項４又は５記載の廃棄物処理方法。
【請求項７】
少なくとも前記破砕装置、前記スクリュウ式洗浄装置、前記各比重別分離装置への給水系の供給タンクを、少なくとも前記破砕装置、前記スクリュウ式洗浄装置、前記脱水装置から排出される排水系の戻りタンクと連通して、供給水を循環使用していることを特徴とする請求項４、５又は６記載の廃棄物処理方法。
【請求項８】
給水部を有する破砕装置の下流に、この破砕装置で破砕乃至破砕、洗浄された廃棄合成樹脂製破砕片を搬送する傾斜したスクリュウ式洗浄装置が配置され、このスクリュウ式洗浄装置に洗浄水散水部が付設され、このスクリュウ式洗浄装置外に搬出された、洗浄済みの廃棄合成樹脂製破砕片を受け取る脱水装置がこの下流に配置され、この脱水装置にて水分を除去された廃棄合成樹脂製破砕片を空送装置を介して受け取るサイクロンが配置され、このサイクロンには排気口が設けてあり、その下部には水滴の付着乃至水分が低減した廃棄合成樹脂製破砕片を袋に充填する充填装置がこのサイクロンの下方に配置してあることを特徴とする廃棄物処理装置。
【請求項９】
前記スクリュウ式洗浄装置は、その搬入側下端位置にて前記破砕装置で破砕され洗浄された廃棄合成樹脂製破砕片を受け取り、その搬出側上端部で洗浄済みの廃棄合成樹脂製破砕片を外部へ搬出する出口か設けてある傾斜した搬送用樋を備え、この搬送用樋の底部のうち、少なくとも搬入側下端側の領域は洗浄済み水を排水可能にメッシュ状に形成され、
この搬送用樋内には洗浄水を供給しその底部に沿い流す洗浄水供給ノズルが設けてあり、この搬送用樋内には、その軸線周りに回転可能な搬送用回転軸が搬送用樋の底部に沿い配置してあり、この回転軸の外周面には前記搬送用樋の搬入側下端から略中央位置に亘り廃棄合成樹脂製破砕片を攪拌、搬送兼用のバトル羽根が配置してあり、更に前記搬送用樋の略中央位置からその搬出側上端に亘りに搬送用のスクリュウ羽根が配置してあり、
この搬送用回転軸を回転駆動する駆動装置が前記搬送用樋乃至これと一体の支持枠に配置してあり、この搬入側下端位置から除去された汚れを洗浄済み水とともに、供給され、汚れと洗浄済み水を分離し外部に排出する分離装置が前記搬入側下端位置に接続されていることを特徴とすることを特徴とする請求項８記載の廃棄物処理装置。
【請求項１０】
給水部を有する破砕装置の下流には、この破砕装置で破砕され乃至破砕、洗浄された廃棄合成樹脂製破砕片が投入される傾斜した第1段のスクリュウ式洗浄装置が配置され、この第1段のスクリュウ式洗浄装置には洗浄水給水部が付設され、洗浄済みの廃棄合成樹脂製破砕片を投入され、比重差により廃棄合成樹脂製破砕片の選別を行う下流に位置する第1段の比重別分離装置がこの下流に設置され、液面に浮遊乃至半没する比重の軽い廃棄合成樹脂製破砕片を投入される第２段のスクリュウ式洗浄装置が第1段の比重別分離装置の下流に配置され、この第２段のスクリュウ式洗浄装置で洗浄された廃棄合成樹脂製破砕片を投入される第２段の比重別分離装置下流に位置し、この第２段の比重別分離装置に投入され、液面に浮遊乃至半没する比重の軽い廃棄合成樹脂製破砕片を水切りスクリュウコンベア装置を介して供給される脱水装置が下流に設置され、この脱水装置にて水分を除去された廃棄合成樹脂製破砕片を空送装置を介して供給される乾燥機が配置され、この乾燥機で熱風攪拌により更に乾燥され、水滴の付着乃至水分が低減した廃棄合成樹脂製破砕片をサイクロンを通して袋に充填する充填装置が配置されていることを特徴とする廃棄物処理装置。
【請求項１１】
前記各比重別分離装置において、液面で浮遊し水平軸線周りに回転するプロペラが上流から下流にかけて間隔をおいて配列してあることを特徴とする請求項８、９又は１０記載の廃棄物処理装置。
【請求項１２】
前記各比重別分離装置の液面と面一乃至液面から下方にスクリュウ移送部が下流寄りに配置されていることを特徴とすることを特徴とする請求項８、９、１０又は１１記載の廃棄物処理装置。
【請求項１３】
少なくとも前記破砕装置、前記スクリュウ式洗浄装置、前記各比重別分離装置への給水系の供給タンクは、少なくとも前記破砕装置、前記スクリュウ式洗浄装置、前記脱水装置から排出される排水系の戻りタンクに連通して、供給水を循環使用可能としてあることを特徴とする請求項８、９、１０、１１又は１２記載の廃棄物処理装置。
【請求項１４】
装置の箱型の機枠内でこの回転軸線周りに回転可能に配置された遠心脱水籠の上面から底面に向けて漏斗状の原料投入ホッパーの垂直な中心線と前記遠心脱水籠の垂直な回転軸線とが偏心して挿入された前記原料投入ホッパーが前記箱型の機枠に固定されて配置され、前記遠心脱水籠の底面から周面にかけて漏斗状に傾斜した傾斜周面には排水穴が多数形成され、この遠心脱水籠の上部周面は円筒面としてあり、脱水後の原料を吸引、排出する減圧吸気管の下端開口部が前記遠心脱水籠の上部内周面近傍に開口して形成され、この周面の内壁に内接し脱水済み原料を遠心脱水籠の周面から剥がす剥離板が、前記開口部に前記脱水籠の軸線方向で前記内壁に沿って設けてあることを特徴とする遠心脱水装置。
【請求項１５】
前記排水穴の目詰まり防止板が前記原料投入ホッパーの外周面に前記傾斜周面に向けて傾斜して固定してあり、箱型の機枠には前記遠心脱水籠の排水穴から排水された液体を装置外に排出する排水部と排気部がそれぞれ設けられていることを特徴とする請求項１４記載の遠心脱水装置。
【請求項１６】
請求項８、９、１０、１１、１２、１３記載の廃棄物処理装置における脱水装置として、請求項１４又は15記載の遠心脱水装置が配置されていることを特徴とする請求項１１、１２、１３記載の廃棄物処理装置。
【発明の詳細な説明】
【技術分野】
【０００１】
この発明は廃棄物処理方法とその装置および遠心脱水装置に関する。
【背景技術】
【０００２】
従来においては、使用済みの合成樹脂製容器の場合にはその内部に飲料、ペースト状の食物等が付着し、又デパート等で使用されている買い物用の合成樹脂製フィルムなどの内面には惣菜などの肉汁などが付着されており、更に廃棄プラスチックには埃、汚泥等がこびりついており、このような状態のまま、廃棄された合成樹脂製品を破砕し、再生品を製造しているか、破砕後に洗浄用容器などに浸漬して濯いでいる。
【０００３】
然るに、埃、汚泥等が付着したまま廃棄プラスチックを破砕し、再生品を製造した場合には埃、汚泥等により再生品の機械的強度が低下し、再生品としての使用に絶えない。
また、破砕後に搬送用樋などに浸漬して濯いだものでも、充分に埃、汚泥等を廃棄合成樹脂製破砕片から分離、除去することができず、前記同様に機械的強度が充分な再生品が得られず、再生品の普及の妨げになっている。
このような課題を改良する為、本件出願人は、破砕装置で破砕され粗洗浄された廃棄合成樹脂製破砕片を洗浄する廃棄合成樹脂製破砕片洗浄装置において、搬入側下端位置にて破砕装置で破砕され粗洗浄された廃棄合成樹脂製破砕片を受け取り、その搬出側上端部で洗浄済みの廃棄合成樹脂製破砕片を外部へ搬出する出口が設けてある傾斜した搬送用樋を備え、この搬送用樋の底部のうち、少なくとも搬入側下端側の領域は洗浄済み水を排水可能にメッシュ状に形成され、この搬送用樋内には洗浄水を供給しその底部に沿い流す洗浄水供給ノズルが設けてあり、この搬送用樋内には、その軸線周りに回転可能な搬送用回転軸が搬送用樋の底部に沿い配置してあり、この回転軸の外周面には前記搬送用樋の搬入側下端から略中央位置に亘り廃棄合成樹脂製破砕片を攪拌、搬送兼用のパドル羽根が配置してあり、更に前記搬送用樋の略中央位置からその搬出側上端に亘りに搬送用のスクリュウ羽根が配置してあり、この搬送用回転軸を回転駆動する駆動装置が前記搬送用樋乃至これと一体の支持枠に配置してあることを特徴とする廃棄合成樹脂製破砕片洗浄装置を開発し、充分に埃、汚泥等を廃棄合成樹脂製破砕片から分離、除去し、充分な機械的強度を有する再生品の原料を得ることに成功している。
【特許文献１】実用新案登録第３０９６３０８号公報
【０００４】
然るに、前記開発した機械においても、得られた再生品の原料には水滴などの水分が相当量残留しており、これを袋内に投入し保管するには不適切な状態にある。
【発明の開示】
【発明が解決しようとする課題】
【０００５】
この発明の目的は、前記のような不具合を解消し、水分を低下させ、袋に長期保管可能な清浄な再生品の原料を製造可能とする。
更に、この発明は洗浄水を有効に略閉ループで使用し、節水を図りながら付着している水滴を充分に除去可能とすることを他の目的とする。
別の発明は、洗浄後の破砕物を比重選別し、液面に浮遊乃至半没する比重の軽い破砕物を自動選別し、水切りし、水分を蒸発させて袋に装填可能とすることを目的とする。
異なる発明は、水滴の付着した破砕物の水滴を、連続的に遠心力を利用して能率良く  分離可能とすることを目的とする。
【課題を解決するための手段】
【０００６】
前記課題を必要充分に達成する方法発明は、破砕装置で破砕され乃至破砕、洗浄された廃棄合成樹脂製破砕片を傾斜したスクリュウ式洗浄装置に投入するとともに洗浄水をシャワー状に散水し、廃棄合成樹脂製破砕片を更に洗浄し、付着している汚れなどを落としスクリュウ式洗浄装置外に搬出し、洗浄済みの廃棄合成樹脂製破砕片を移送し、下流の脱水装置に投入し、この脱水装置にて廃棄合成樹脂製破砕片に付着している水分を廃棄合成樹脂製破砕片から分離し、水分を除去した廃棄合成樹脂製破砕片を空送装置を介してサイクロン型気固分離装置(以下単にサイクロンと云う)に供給し、このサイクロンにおいて更に廃棄合成樹脂製破砕片に残留している水滴およびこれから発生するミストを旋回する空気流に乗せてサイクロンの排気口から排気し、水滴乃至水分の付着が低減した廃棄合成樹脂製破砕片を袋に充填することを特徴とする廃棄物処理方法としてある。
【０００７】
前記廃棄物処理方法における前記廃棄合成樹脂製破砕片は合成樹脂製ボトル、合成樹脂製フィルム、農業用フィルム、合成樹脂製ケース、通い箱などの粉砕片、破砕片から選択された少なくとも1種とすることを特徴とする。
【０００８】
前記廃棄物処理方法で前記傾斜したスクリュウ式洗浄装置において、その搬入側下端位置にて前記破砕装置で破砕され洗浄された廃棄合成樹脂製破砕片を受け取り、その搬出側上端部で洗浄済みの廃棄合成樹脂製破砕片を外部へ搬出するとともに、この搬入側下端位置から除去された汚れを洗浄済み水と共に、分離機に供給し、この分離機で汚れと洗浄済み水を分離し外部に排出することを特徴とする廃棄物処理方法としてある。
【０００９】
前記課題を必要充分に達成する関連方法発明は、破砕装置で破砕され乃至破砕、洗浄された廃棄合成樹脂製破砕片を傾斜した第1段のスクリュウ式洗浄装置に投入するとともに洗浄水をシャワー状に散水し、廃棄合成樹脂製破砕片を更に洗浄し、付着している汚れなどを落としスクリュウ式洗浄装置外に排出し、洗浄済みの廃棄合成樹脂製破砕片を移送し、下流に位置する第1段の比重別分離装置に投入し、比重差により廃棄合成樹脂製破砕片の選別を行うとともに、残留している汚れなどを沈澱させ、液面に浮遊乃至半没する比重の軽い廃棄合成樹脂製破砕片を第２段のスクリュウ式洗浄装置に投入し第1段のスクリュウ式洗浄装置と同様に液面に浮遊乃至半没する比重の軽い廃棄合成樹脂製破砕片の洗浄を再度行うとともに、汚れなどの付着物を除去し、更に下流に位置する第２段の比重別分離装置に投入し第１段の比重別分離装置同様に比重差により廃棄合成樹脂製破砕片の選別を行うとともに、残留している汚れなどを沈澱させ、このように選別された液面に浮遊乃至半没する比重の軽い廃棄合成樹脂製破砕片を水切りスクリュウコンベア装置を介して下流の脱水装置に投入し、この脱水装置にて廃棄合成樹脂製破砕片に付着している水分を廃棄合成樹脂製破砕片から分離し、水分を除去した廃棄合成樹脂製破砕片を空送装置を介して乾燥機に供給し、この乾燥機において熱風攪拌により更に廃棄合成樹脂製破砕片に残留している水滴を蒸発、乾燥させ、水滴の付着が低減した廃棄合成樹脂製破砕片をサイクロンを通して袋に充填することを特徴とする廃棄物処理方法としてある。
【００１０】
この廃棄物処理方法における前記各比重別分離装置にて液面で浮遊する廃棄合成樹脂製破砕片を回転するプロペラにより液中に沈めながら攪拌し、比重の重い廃棄合成樹脂製破砕片および付着している汚れを各比重別分離装置の底部に沈澱し、適宜外部へ搬出するとともに、液面に浮遊する比重の軽い廃棄合成樹脂製破砕片を下流の装置に移送することを特徴とする。
【００１１】
この廃棄物処理方法における前記各比重別分離装置の液面と面一乃至液面より下方に配置したスクリュウ移送部により比重の軽い廃棄合成樹脂製破砕片を下流の装置に移送することを特徴とする。
この廃棄物処理方法において、少なくとも前記破砕装置、前記スクリュウ式洗浄装置、前記各比重別分離装置への給水系の供給タンクを、少なくとも前記破砕装置、前記スクリュウ式洗浄装置、前記各比重別分離装置、前記遠心脱水装置から排出される排水系の戻りタンクと連通して、供給水を循環使用していることを特徴とする
【００１２】
前記課題を必要充分に達成する関連発明である装置発明は、給水部を有する破砕装置の下流に、この破砕装置で破砕され乃至破砕、洗浄された廃棄合成樹脂製破砕片を搬送する傾斜したスクリュウ式洗浄装置が配置され、このスクリュウ式洗浄装置に洗浄水散水部が付設され、このスクリュウ式洗浄装置外に搬出された、洗浄済みの廃棄合成樹脂製破砕片を受け取る脱水装置がこの下流に配置され、この脱水装置にて水分を除去された廃棄合成樹脂製破砕片を空送装置を介して受け取るサイクロンが配置され、このサイクロンには排気口が設けてあり、その下部には水滴の付着乃至水分が低減した廃棄合成樹脂製破砕片を袋に充填する充填装置がこのサイクロンの下方に配置してあることを特徴とする廃棄物処理装置としてある。
【００１３】
この廃棄物処理装置におけるスクリュウ式洗浄装置は、その搬入側下端位置にて前記破砕装置で破砕され洗浄された廃棄合成樹脂製破砕片を受け取り、その搬出側上端部で洗浄済みの廃棄合成樹脂製破砕片を外部へ搬出する出口か設けてある傾斜した搬送用樋を備え、この搬送用樋の底部のうち、少なくとも搬入側下端側の領域は洗浄済み水を排水可能なメッシュ状に形成され、
この搬送用樋内には洗浄水を供給しその底部に沿い流す洗浄水供給ノズルが設けてあり、この搬送用樋内には、その軸線周りに回転可能な搬送用回転軸が搬送用樋の底部に沿い配置してあり、この回転軸の外周面には前記搬送用樋の搬入側下端から略中央位置に亘り廃棄合成樹脂製破砕片を攪拌、搬送兼用のパドル羽根が配置してあり、更に前記搬送用樋の略中央位置からその搬出側上端に亘りに搬送用のスクリュウ羽根が配置してあり、
この搬送用回転軸を回転駆動する駆動装置が前記搬送用樋乃至これと一体の支持枠に配置してあり、この搬入側下端位置から除去された汚れを洗浄済み水とともに、供給され、汚れと洗浄済み水を分離し外部に排出する分離装置が前記搬入側下端位置に接続されていることを特徴とする。
【００１４】
前記課題を必要充分に達成する関連発明である装置発明は、給水部を有する破砕装置の下流には、この破砕装置で破砕され乃至破砕、洗浄された廃棄合成樹脂製破砕片が投入される傾斜した第1段のスクリュウ式洗浄装置が配置され、この第1段のスクリュウ式洗浄装置には洗浄水給水部が付設され、洗浄済みの廃棄合成樹脂製破砕片を投入され、比重差により廃棄合成樹脂製破砕片の選別を行う下流に位置する第1段の比重別分離装置がこの下流に設置され、液面に浮遊乃至半没する比重の軽い廃棄合成樹脂製破砕片を投入される第２段のスクリュウ式洗浄装置が第1段の比重別分離装置の下流に配置され、この第２段のスクリュウ式洗浄装置で洗浄された廃棄合成樹脂製破砕片を投入される第２段の比重別分離装置下流に位置し、この第２段の比重別分離装置に投入され、選別された比重が1以下の軽い廃棄合成樹脂製破砕片を水切りスクリュウコンベア装置を介して供給される遠心脱水装置が下流に設置され、この遠心脱水装置にて水分を除去された廃棄合成樹脂製破砕片を空送装置を介して供給される乾燥機が配置され、この乾燥機で熱風攪拌により更に乾燥され、水滴の付着が低減した廃棄合成樹脂製破砕片をサイクロンを通して袋に充填する充填装置が配置されていることを特徴とする廃棄物処理装置としてある。
【００１５】
この廃棄物処理装置における前記各比重別分離装置において、液面で浮遊し水平軸線周りに回転するプロペラ（＝回転羽根）が上流から下流にかけて間隔をおいて配列してあることを特徴とする。
【００１６】
この廃棄物処理装置における前記各比重別分離装置の液面と面一乃至液面から下方にスクリュウ移送部が下流寄りに配置されていることを特徴とする。
【００１７】
この廃棄物処理装置における前記各比重別分離装置の液面と面一に水平なスクリュウ移送部が下流寄りに配置されていることを特徴とする。
【００１８】
この廃棄物処理装置において、少なくとも前記破砕装置、前記スクリュウ式洗浄装置、前記各比重別分離装置への給水系の供給タンクは、少なくとも前記破砕装置、前記スクリュウ式洗浄装置、前記各比重別分離装置、前記脱水装置から排出される排水系の戻りタンクに連通して、供給水を循環使用可能としてあることを特徴とする。
【００１９】
前記課題を必要充分に達成する発明は、装置の箱型の機枠内でこの回転軸線周りに回転可能に配置された遠心脱水籠の上面から底面に向けて漏斗状の原料投入ホッパーの垂直な中心線と遠心脱水籠の垂直な回転軸線とが偏心して挿入された前記原料投入ホッパーが前記箱型の機枠に固定されて配置され、前記遠心脱水籠の底面から周面にかけて漏斗状に傾斜した傾斜周面には排水穴が多数形成され、この遠心脱水籠の上部周面は円筒面としてあり、脱水後の原料を吸引、排出する減圧吸気管の下端開口部が前記遠心脱水籠の上部内周面近傍に開口して形成され、この周面の内壁に内接し脱水済み原料を遠心脱水籠の周面から剥がす剥離板が、前記開口部に前記脱水籠の軸線方向で前記内壁に沿って設けてあることを特徴とする遠心脱水装置としてある。
【００２０】
この遠心脱水装置において前記排水穴の目詰まり防止板が前記原料投入ホッパーの外周面に前記傾斜周面に向けて傾斜して固定してあり、箱型の機枠には前記遠心脱水籠の排水穴から排水された液体を装置外に排出する排水部と排気部がそれぞれ設けられていることを特徴とする。
【００２１】
前記廃棄物処理装置における脱水装置として、この遠心脱水装置が配置されていることを特徴とする。
【発明の効果】
【００２２】
請求項1乃至7記載の方法発明により、水分を低下させ、袋に長期保管可能な清浄な再生品の原料である破砕片を製造できる。
殊に請求項7記載の方法発明は洗浄水を有効に略閉ループで使用し、節水を図りながら付着している水滴乃至水分を充分に除去できる。
更に、洗浄水を有効に略閉ループで使用し、節水を図りながら付着している水滴乃至水分を充分に除去可能とすることを他の目的とする。
請求項4乃至7記載の方法発明においては、洗浄後の破砕物を比重選別し、液面に浮遊乃至半没する比重の軽い破砕物を自動選別し、水切りし、水分を蒸発させて袋に装填できる。
が出来る。
請求項８乃至１３記載の装置発明では、前記方法発明を実施でき、その効果を充分に発揮できる。
【００２３】
請求項１４記載の発明では、原料の投入と同時に原料を滞留することなく、遠心力で水分を脱水でき、前記遠心脱水籠の回転中に遠心脱水籠から脱水済みの原料を下流の工程に迅速に吸引、搬送できる。
殊に、請求項１５記載の発明では、請求項１４記載の発明の効果に加えて、遠心脱水籠の排水穴の目詰まりを有効に防止できる。
請求項16記載の装置発明では、請求項１４、１５記載の発明の遠心脱水装置を使用して、洗浄済みの廃棄合成樹脂製破砕片の水分をより効果的に除去できる。
【発明を実施するための最良の形態】
【００２４】
実施の形態１
この形態は請求項８乃至９記載の装置発明の代表的な実施の形態であり、図1において１０は廃棄物処理装置全体を示し、前記廃棄物処理装置１０は給水部を備える破砕装置１１を備える。この破砕装置１１の下流に、この破砕装置１１で破砕され洗浄された廃棄合成樹脂製破砕片を傾斜したスクリュウ式洗浄装置１２が配置され、このスクリュウ式洗浄装置１２に洗浄水散水部１３に付設されている。
なお、前記破砕装置１１においては、破砕する対象物の種類、汚染状態に応じて、前記給水部から破砕部への洗浄水の供給を停止し、乾式で廃棄合成樹脂製破砕片を破砕する場合もある。
このスクリュウ式洗浄装置１２外に搬出された、洗浄済みの廃棄合成樹脂製破砕片を受け取る脱水装置の一種である遠心脱水装置１４がこの下流に配置され、この遠心脱水装置１４にて水分を除去された廃棄合成樹脂製破砕片を空送装置１５を介して受け取るサイクロン１６が配置され、このサイクロン１６には廃棄合成樹脂製破砕片に残留している水滴およびこれより発生するミストを旋回する空気流に乗せて排気する排気口１７が上部中心に設けてあり、水滴の付着および水分が低減した廃棄合成樹脂製破砕片を袋に充填する充填装置１８がこのサイクロン１６の下方に配置してある。
なお、前記脱水装置は遠心脱水装置１４に限定されず、一対の絞りローラを有する装置、圧縮力で脱水する装置でも良いが、好ましくは遠心脱水装置１４を使用する。
【００２５】
前記スクリュウ式洗浄装置１２は、その搬入側下端位置にて前記破砕装置１１で破砕され洗浄された廃棄合成樹脂製破砕片を受け取り、その搬出側上端部で洗浄済みの廃棄合成樹脂製破砕片を外部へ搬出する出口か設けてある傾斜した搬送用樋１９を備え、この搬送用樋１９の底部のうち、少なくとも搬入側下端側の領域は洗浄済み水を排水可能にメッシュ状に形成され、この搬送用樋内には洗浄水を供給しその底部に沿い流す洗浄水供給ノズルが設けてあり、この洗浄水供給ノズルが前記洗浄水散水部１３に相当する。
この搬送用樋１９内には、その軸線周りに回転可能な搬送用回転軸が搬送用樋１９の底部に沿い配置してあり、この回転軸の外周面には前記搬送用樋の搬入側下端から略中央位置に亘り廃棄合成樹脂製破砕片を攪拌、搬送兼用のパドル羽根２０が配置してあり、更に前記搬送用樋の略中央位置からその搬出側上端に亘りに搬送用のスクリュウ羽根２１が配置してあり、
【００２６】
この搬送用回転軸を回転駆動する駆動装置２２が前記搬送用樋乃至これと一体の支持枠２３に配置してあり、この搬入側下端位置から除去された汚れを洗浄済み水とともに、供給され、汚れと洗浄済み水を分離し外部に排出する分離装置２４が前記搬入側下端位置に接続されている。
前記遠心脱水装置１４の一例を請求項１４、１５記載の発明の代表的な実施の形態として説明する。
図３において、前記遠心脱水装置１４において、装置の箱型の機枠内でこの回転軸線周りに回転可能に配置された遠心脱水籠２５の上面から底面に向けて、漏斗状の原料投入ホッパー２４の垂直な中心線と遠心脱水籠２５の垂直な回転軸線とが偏心して、挿入された前記原料投入ホッパーが前記箱型の機枠の上蓋に固定されて配置され、前記遠心脱水籠２５の底面から周面にかけて漏斗状に傾斜した傾斜周面には排水穴２６が多数形成され、この遠心脱水籠２５の上部周面は円筒面としてあり、脱水後の原料を吸引、排出する減圧吸気管２７の下端開口部２８が前記遠心脱水籠の上部内周面近傍に開口して形成されている。この周面の内壁に内接し脱水済み原料を遠心脱水籠の周面から剥がす剥離板２９が、前記開口部２８に前記遠心脱水籠２５の軸線方向で前記内壁に沿って設けてある。
前記排水穴２６の目詰まり防止板が前記原料投入ホッパー２４の外周面に前記傾斜周面に向けて傾斜して固定してあり、箱型の機枠には前記遠心脱水籠の排水穴から排水された液体を装置外に排出する排水部と排気部がそれぞれ設けられている。
【００２７】
前記構成の装置の作用（請求項1乃至３記載の方法発明の代表的な実施の形態に相当）をその使用方法とともに説明する。
前記破砕装置１１で破砕され洗浄された廃棄合成樹脂製破砕片を傾斜したスクリュウ式洗浄装置１２に投入するとともに洗浄水を給水し、廃棄合成樹脂製破砕片を更に洗浄し、付着している汚れなどを落としスクリュウ式洗浄装置１２外に搬出し、洗浄済みの廃棄合成樹脂製破砕片を移送し、下流の遠心脱水装置１４に投入し、この遠心脱水装置１４にて廃棄合成樹脂製破砕片に付着している水分を廃棄合成樹脂製破砕片から遠心力で吹き飛ばし、水分を除去した廃棄合成樹脂製破砕片を空送装置１５を介してサイクロン１６に供給し、このサイクロン１６において更に廃棄合成樹脂製破砕片に残留している水滴を旋回する空気流に乗せてサイクロン１６の排気口１７から排気し、水滴の付着が低減した廃棄合成樹脂製破砕片を袋に充填する。
前記廃棄合成樹脂製破砕片はここ合成樹脂製ボトル、合成樹脂製フィルム、農業用フィルム、合成樹脂製ケース、通い箱などの粉砕片、破砕片から選択された少なくとも1種又はこの混合物とする。
前記スクリュウ式洗浄装置１２において、その搬入側下端位置にて前記破砕装置で破砕され洗浄された廃棄合成樹脂製破砕片を受け取り、その搬出側上端部で洗浄済みの廃棄合成樹脂製破砕片を外部へ搬出するとともに、この搬入側下端位置から搬送不能な微粉砕物を汚水とともに、分離機に供給し、この分離機２４で微粉砕物と汚水を分離し外部に排出する。
前記遠心脱水装置１４の作用を更に説明すると、遠心脱水籠２５の上面から底面に向けて漏斗状の原料投入ホッパー２４の中心線と前記遠心脱水籠２５の回転軸線とが偏心して、挿入された前記原料投入ホッパー２４が装置機枠に固定されて配置されているため、前記原料投入ホッパー２４から前記遠心脱水籠２５の底面に投入された原料は直ぐ遠心力を受けてその場に滞留することなく、前記遠心脱水籠２５の底面から周面に向けて拡散し、漏斗状に傾斜した傾斜周面に形成された排水穴２６から水分が排水されると共に、脱水された原料は半径の大きな上部に遠心力により移送され、更に前記減圧吸気管２７の吸気作用で空気流に乗ってこの遠心脱水籠２５の上部の内周面に向けて移動し、前記減圧吸気管２７の開口部２８から吸引されると共に、この遠心脱水籠２５の周面の内壁に付着する原料は遠心脱水籠２５の回転に伴いこの内壁に内接する開口部２６付設の剥離板２９により遠心脱水籠２５の周面から剥離され、開口部２８内に吸引され、排出される。前記遠心脱水籠２５の傾斜周面にあけた前記排水穴２６の目詰まりは前記目詰まり防止板（ブラシも含む）の先端が回転中の前記前記遠心脱水籠２５の傾斜面に接触乃至極接近させてあることで、この部分から原料を除去し目詰まりは解消される。
この原料の一種として、前記洗浄済みの廃棄合成樹脂製破砕片を処理し、その水分を除去する。
【００２８】
実施の形態２
この形態は請求項１０乃至１３記載の装置発明の代表的な実施の形態を示である。
図２において、給水部を有する破砕装置３０の下流には、この破砕装置３０で破砕され乃至破砕、洗浄された廃棄合成樹脂製破砕片を投入される傾斜した第1段のスクリュウ式洗浄装置４０が配置され、この第1段のスクリュウ式洗浄装置４０には洗浄水散水部が付設され、洗浄済みの廃棄合成樹脂製破砕片を投入され、比重差により廃棄合成樹脂製破砕片の選別を行う下流に位置する第1段の比重別分離装置５０がこの下流に設置され、比重が1以下の軽い廃棄合成樹脂製破砕片を投入される第２段のスクリュウ式洗浄装置６０が第1段の比重別分離装置６０の下流に配置され、この第２段のスクリュウ式洗浄装置７０で洗浄された廃棄合成樹脂製破砕片を投入される第２段の比重別分離装置７０下流に位置し、この第２段の比重別分離装置７０に投入され、選別された比重が1以下の軽い廃棄合成樹脂製破砕片を水切りスクリュウコンベア装置８０を介して供給される遠心脱水装置９０が下流に設置され、この遠心脱水装置９０にて水分を除去された廃棄合成樹脂製破砕片を空送装置１００を介して供給される乾燥機１１０が配置され、この乾燥機１１０で熱風攪拌により更に乾燥され、水滴の付着が低減した廃棄合成樹脂製破砕片をサイクロン１２０を通して袋に充填する充填装置１３０が配置されている。
前記各比重別分離装置５０、７０において、液面で浮遊し水平軸線周りに回転するプロペラ６１、７１が上流から下流にかけて間隔をおいて配列してある。
前記各比重別分離装置５０、７０の液面と面一乃至液面より下方に水平乃至下向きに傾斜したスクリュウ移送部６２、７２が下流寄りに配置されている。なお、この水平なスクリュウ移送部６２、７２を設けずに直接前記水切りスクリュウコンベア装置８０に供給することもある。
前記破砕装置３０、前記スクリュウ式洗浄装置４０、６０、前記各比重別分離装置５０、７０への給水系の供給タンク１４０は、前記破砕装置３０、前記スクリュウ式洗浄装置４０、６０、前記遠心脱水装置９０から排出される排水系の戻りタンク１５０に連通して、供給水を循環使用可能としてある。
【００２９】
この形態特有の作用を請求項４乃至７記載の方法発明の代表的な実施の形態として説明する。
前記破砕装置３０で破砕され乃至破砕、洗浄された廃棄合成樹脂製破砕片を傾斜した第1段のスクリュウ式洗浄装置４０に投入するとともに洗浄水を給水し、廃棄合成樹脂製破砕片を更に洗浄し、付着している汚れなどを落とし第1段のスクリュウ式洗浄装置４０外に搬出し、洗浄済みの廃棄合成樹脂製破砕片を移送し、下流に位置する第1段の比重別分離装置５０に投入し、比重差により廃棄合成樹脂製破砕片の選別を行うとともに、残留している汚れと比重の重い廃棄合成樹脂製破砕片、例えばＰＶＣ、ＰＥＴの破砕片を沈澱させ、液面に浮遊乃至半没する比重の軽い廃棄合成樹脂製破砕片、例えばポリエチレン、ポリプロピレンの破砕片を第２段のスクリュウ式洗浄装置６０に投入し第1段のスクリュウ式洗浄装置４０と同様に比重が1以下の軽い廃棄合成樹脂製破砕片の洗浄を再度行うとともに、汚れなどの付着物を除去し、更に下流に位置する第２段の比重別分離装置７０に投入し第１段の比重別分離装置５０同様に比重差により廃棄合成樹脂製破砕片の選別を行うとともに、残留している汚れなどを沈澱させる。このように選別された比重が1以下の軽い廃棄合成樹脂製破砕片を水切りスクリュウコンベア装置８０を介して下流の遠心脱水装置９０に投入し、この遠心脱水装置９０にて廃棄合成樹脂製破砕片に付着している水分を廃棄合成樹脂製破砕片から遠心力で吹き飛ばし、水分を除去した廃棄合成樹脂製破砕片を空送装置１００を介して乾燥機１１０に供給し、この乾燥機１１０において熱風攪拌により更に廃棄合成樹脂製破砕片に残留している水滴を蒸発、乾燥させ、水滴の付着が低減した廃棄合成樹脂製破砕片をサイクロン１２０を通して袋に充填する。
前記各比重別分離装置５０、７０にて液面で浮遊に回転するプロペラ５１、７１により投入された廃棄合成樹脂製破砕片を液中に沈めて、比重の重い廃棄合成樹脂製破砕片および付着している汚れを各比重別分離装置５０、７０の底部に落下させ沈澱させるとともに、液面に浮遊する比重の軽い廃棄合成樹脂製破砕片を下流の装置に移送する。
前記各比重別分離装置５０、７０の液面と面一に配置した水平なスクリュウ移送部により比重の軽い廃棄合成樹脂製破砕片を下流の装置に移送することが好ましい。
前記沈殿物は適宜外部に搬出する。例えば一旦運転を停止する。或いは別途汲み出し用の垂直な乃至高角度のスクリュウコンベア、ベルトコンベアを装備する場合、又は吸出しパイプで前記各比重別分離装置５０、７０外に搬出する装置を付加する場合もある。
前記破砕装置３０、前記スクリュウ式洗浄装置４０、６０、前記各比重別分離装置５０、７０への給水系の供給タンク１４０を、前記破砕装置３０、前記スクリュウ式洗浄装置４０、６０、遠心脱水装置９０から排出される排水系の戻りタンク１５０と連通して、供給水を循環使用している。
【図面の簡単な説明】
【００３０】
【図１】実施の形態1における装置の全体外略図である。
【図２】実施の形態２における装置の全体外略図である。
【図３】遠心脱水装置の縦断面図ある。
【符号の説明】
【００３１】
１０    廃棄物処理装置
１１、３０    破砕装置
１２、４０，６０  スクリュウ式洗浄装置
１４、９０    遠心脱水装置
１６、１２０    サイクロン
１８、１３０    充填装置
５０、７０    比重別分離装置
１１０    乾燥機
【図１】
2005335070.tif 000003
【図２】
2005335070.tif 000004
【図３】
2005335070.tif 000005